(57)【要約】【課題】キャップやカバー体に簡単な操作でガス抜きモードに設定できる単一の可動部材を設け、エアゾール容器のガス抜き作業の簡単化を図る。【解決手段】キャップ１０の天面１１部分に、薄肉部１２ｆを回動軸として内側方向に折り曲げ可能なガス抜きモード設定用片部１２を設けた。当該片部は、ガス抜きモードでステム１３ａを押圧状態に保持するステム作動部１２ａを備え、当該ステム作動部はステム１３ａを下動するように案内する凹状面１２ｂやガス誘導面１２ｃを備えている。ガス抜きモードでは、連結部１２ｅを切り離し、片部１２を折り曲げたキャップ１０をエアゾール容器１３に取り付ける。ステム１３ａはステム作動部１２ａによって押圧状態に保持されるのでガス抜き作業は自動的に完了する。キャップに設けたレバーの単一操作に基づくガス抜きモード設定機構、押釦側のレバー操作やカバー体側のレバー操作に基づくガス抜きモード設定機構も開示している。【選択図】    図２
2004168356.tif 000002
【特許請求の範囲】
【請求項１】
エアゾール容器内部のガス抜きモードを確立するためのステム駆動用対応部からなるガス抜きモード設定機構において、
前記ステム駆動用対応部を、
その全体が単一の操作対象からなり、
ガス抜きモード設定用の操作部と、
前記操作部の作用に基づき、ステムをその作動モードの位置にシフトさせて当該シフト状態を保持するためのガス抜き作用部とを備えたものとする、
ことを特徴とするエアゾール容器のガス抜きモード設定機構。
【請求項２】
前記操作部は、エアゾール容器のキャップの一部を構成する態様で形成され、
前記ガス抜き作用部は、前記操作部と一体に設けられている、
ことを特徴とする請求項１記載のエアゾール容器のガス抜きモード設定機構。
【請求項３】
前記操作部は、エアゾール容器の作動モード設定用の操作釦に設けられ、
前記ガス抜き作用部は、前記操作部のガス抜きモードへの移動を案内するガイド部の態様でエアゾール容器のカバー体に設けられている、
ことを特徴とする請求項１記載のエアゾール容器のガス抜きモード設定機構。
【請求項４】
前記操作部は、エアゾール容器の作動モードの設定に際しての当該設定用の操作釦の移動路を確保する態様でエアゾール容器のカバー体に設けられ、
前記ガス抜き作用部は、前記操作部のガス抜きモードへの移動に応じて前記操作釦の一部を駆動する態様で前記操作部と一体に設けられている、
ことを特徴とする請求項１記載のエアゾール容器のガス抜きモード設定機構。
【請求項５】
請求項１乃至４記載の操作釦をガス抜きモード設定機構を備え、かつ、放出用ガスおよび内容物を収容したエアゾール式製品。
【発明の詳細な説明】
【０００１】
【発明の属する技術分野】
本発明は、エアゾール容器内部のガスを外部空間に放出するガス抜きモードを確立するためのキャップやカバー体などからなるガス抜きモード設定機構、およびこのガス抜きモード設定機構を備えたエアゾール式製品に関する。
【０００２】
なお、本明細書では、「キャップ」の用語を、エアゾール容器の作動モード設定用の操作釦の保護などのために当該容器に着脱自在な形で取り付けられて当該操作釦を使用する時には当該容器から取り外されるもの（図１〜図３，図１０参照）を示す意で用い、「カバー体」の用語を、同じく保護などのためにエアゾール容器に固定され（「キャップ」とは違って）当該操作釦を使用する時にもこの固定されたままの状態を保持するもの（図４〜図９参照）を示す意で用いる。
【０００３】
一般に、使用済エアゾール容器には内容物放出用のガスが残っていることが多く、その状態で焼却されると爆発事故を起こしやすい。
【０００４】
そのため、使用済みのエアゾール容器を廃棄する場合などに容器内部の残留ガスを簡単な手間で外部空間に放出できることが望ましく、本発明はこのような要請に応えるものである。
【０００５】
【従来の技術】
従来、残留ガスを外部空間に排出することに関しては、使用済エアゾール容器をその操作釦（ステム）が押し下げられた状態に自己保持する機能を備えたキャップが開示されている（例えば特許文献１参照）。
【０００６】
図１０は、この従来例を示す説明図であり、（ａ）は当該キャップ単体を示し、（ｂ）は当該キャップのガス抜きモードを示している。
【０００７】
図１０において、４０はガス抜きモード設定機能を持つキャップ，４１は当該キャップの天面，４２はキャップの内側に折り曲げてガス抜きモードを設定する図示右側の片部，４２ａはガス抜きモードで後述の押釦５０を押圧する周面部分，４２ｂはガス抜きモードで後述の凸状部４３ｂと嵌合する凹状部，４３はキャップの内側に折り曲げてガス抜きモードを設定する図示左側の片部，４３ａはガス抜きモードで後述の押釦５０を押圧する周面部分，４３ｂはガス抜きモード設定用の凸状部，４４は片部４２，４３形成用の切込部，４５は片部４２，４３と天面４１との連結部，４６は片部４２，４３の折り曲げ部分となる薄肉部，４７は片部４２，４３を折り曲げることによって形成される開口部，４８は後述のエアゾール容器の環状凹部６０ａに係合する突状部，５０は押釦，５０ａは当該押釦の上面部，５０ｂは放出口，６０はエアゾール容器，６０ａは当該エアゾール容器の環状凹部，６０ｂはステムをそれぞれ示している。
【０００８】
図１０（ａ）および（ｂ）に示すように、キャップ４０の天面４１には当該キャップの内側に折曲げ可能なガス抜き用片部４２，４３が左右対称に設けられている。
【０００９】
エアゾール容器６０のガス抜き作業をする場合、
（１）キャップ４０の突状部４８とエアゾール容器６０の環状凹部６０ａとの係合を解除してキャップ４０をエアゾール容器６０から取り外し、
（２）右側片部４２を押圧して連結部４５を切り離し、キャップ４０の内側方向に折り曲げ、
（３）左側片部４３を押圧して連結部４５を切り離し、キャップ４０の内側方向に折り曲げ、
（４）右側片部４２の凹状部４２ｂと左側片部４３の凸状部４３ｂとを確実に嵌合して各片部４２、４３を一体化し、
（５）この一体化した片部４２，４３の周面部分４２ａ，４３ａを押釦５０の上面部５０ａに当接させた状態で下動させながら、再びキャップ４０の突状部４８とエアゾール容器６０の環状凹部６０ａとを係合させる。
【００１０】
この係合操作にともない、一体化した片部４２，４３はその周面部分４２ａ，４３ａが押釦５０を押圧した状態に保持され、エアゾール容器６０の残留ガスは、ステム６０ｂ−放出口５０ｂ−キャップ４０の内部空間−開口部４７を経て外部空間に排出される。
【００１１】
【特許文献１】
特開２０００−１９１０６２号公報
【００１２】
【発明が解決しようとする課題】
このように、従来の使用済エアゾール容器の残留ガスを抜くためのキャップは、ガス抜きを行う際に、上述の５つの工程を行う必要があり、煩雑で面倒なガス抜き作業が要請されるという問題点があった。
【００１３】
ことに、片部４２，４３をそれぞれ折り曲げた上で両者の特定部分（凹状部４２ｂおよび凸状部４３ｂ）を嵌合させるという非常に手間のかかる作業を強いるものであった。
【００１４】
そこで、本発明では、エアゾール容器のキャップ，カバー体や（作動モード設定用の）操作釦などに、全体としてガス抜きモード設定用の単一の操作対象となるガス抜きモード設定機構を形成し、この機構における折り曲げ操作や移動操作などの簡単な単一操作に基づく態様でガス抜きモードへと移行できるようにして、エアゾール容器のガス抜き作業の簡単化を図ることを目的とする。
【００１５】
【課題を解決するための手段】
本発明はこの課題を次のようにして解決する。
（１）エアゾール容器内部のガス抜きモードを確立するためのステム駆動用対応部（例えば後述のガス抜きモード設定用片部１２，ガス抜きモード設定用レバー１６，２１ａ，ガイド孔２２ｂ，第１・第２のレバー３２，３５，押釦３１の凸状部３１ａ）からなるガス抜きモード設定機構において、前記ステム駆動用対応部を、その全体が単一の操作対象からなり、ガス抜きモード設定用の操作部（例えば後述のガス抜きモード設定用片部１２の上面部分，ガス抜きモード設定用レバー１６の上面部分，ガス抜きモード設定用レバー２１ａの端部，第１・第２のレバー３２，３５の操作部３２ｂ，３５ｂ）と、前記操作部の作用に基づき、ステムをその作動モードの位置にシフトさせて当該シフト状態を保持するためのガス抜き作用部（例えば後述のガス抜きモード設定用片部１２のステム作動部１２ａ，ガス抜きモード設定用レバー１６の押釦作動部１６ｃ，ガイド孔２２ｂ，第１のレバー３２のテーパ面３２ａ・段部３２ｄ，第２のレバー３５のテーパ面３５ａ，凹状部３５ｄ）と、を備えたものとする。
（２）上記（１）において、操作部（例えば後述のガス抜きモード設定用片部１２の上面部分，ガス抜きモード設定用レバー１６の上面部分など）は、エアゾール容器のキャップ（例えば後述のキャップ１０，１０′）の一部を構成する態様で形成され、ガス抜き作用部（例えば後述のステム作動部１２ａ，押釦作動部１６ｃ）は、前記操作部と一体に設けられている、ものを用いる。
（３）上記（１）において、操作部（例えば後述のガス抜きモード設定用レバー２１ａの端部）は、エアゾール容器の作動モード設定用の操作釦（例えば後述の押釦２１）に設けられ、ガス抜き作用部は、前記操作部のガス抜きモードへの移動を案内するガイド部（例えば後述のガイド孔２２ｂ）の態様でエアゾール容器のカバー体（例えば後述のカバー体２２）に設けられている、ものを用いる。
（４）上記（１）において、操作部（例えば後述の操作部３２ｂ，３５ｂ）は、エアゾール容器の作動モードの設定に際しての当該設定用の操作釦（例えば後述の押釦３１）の移動路を確保する態様でエアゾール容器のカバー体（例えば後述のカバー体３３）に設けられ、ガス抜き作用部（例えば後述のテーパ面３２ａ，段部３２ｄ，テーパ面３５ａ，凹状部３５ｄ）は、前記操作部のガス抜きモードへの移動に応じて前記操作釦の一部（例えば後述の押釦３１の凸状部３１ａ）を駆動する態様で前記操作部と一体に設けられている、ものを用いる。
【００１６】
本発明によれば、上記（１）のように、エアゾール容器のガス抜きモードを確立するためのステム駆動用対応部をその全体が単一の操作対象からなる態様で構築し、これによりエアゾール容器のガス抜きモード設定者の作業負担の軽減化を図っている。
【００１７】
また、上記（２）のように、このステム駆動用対応部をエアゾール容器のキャップに形成し、これによりキャップ形式のエアゾール容器におけるガス抜きモード設定作業のいっそうの簡単化を図っている。
【００１８】
また、上記（３），（４）のように、このステム駆動用対応部をエアゾール容器の（作動モード設定用の）操作釦やカバー体に形成し、これによりカバー体形式のエアゾール容器におけるガス抜きモード設定作業のいっそうの簡単化を図っている。
【００１９】
本発明は、以上の特徴を持つガス抜きモード設定機構を対象とするとともに、このガス抜きモード設定機構を備えたエアゾール式製品も対象にしている。
【００２０】
【発明の実施の形態】
図１乃至図９を用いて、本発明の実施の形態を説明する。
【００２１】
図１乃至図３はキャップ自体の操作に基づくガス抜きモード設定機構を示し、図４乃至図６は押釦側のレバー操作に基づくガス抜きモード設定機構を示し、図７乃至図９はカバー体側のレバー操作に基づくガス抜きモード設定機構を示している。
【００２２】
まず、図１乃至図３のガス抜きモード設定機構について説明する。図１および図２はキャップ自体の操作に基づくガス抜きモード設定機構（その１）であり、図１（ａ）はキャップ単体の上面図、図１（ｂ）は通常の静止モード、図２は図１に対応のガス抜きモードをそれぞれ示している。図３はキャップ自体の操作に基づくガス抜きモード設定機構（その２）であり、（ａ）は通常の静止モード、（ｂ）はガス抜きモードをそれぞれ示している。
【００２３】
図１，２と図３の各ガス抜きモード設定機構の基本的な相違点は、キャップをエアゾールに取り付けた状態でガス抜きモードへの設定操作を行なえるかどうかである。すなわち、図１，２の場合は「行なえない」であり、図３の場合は「行なえる」である。
【００２４】
これらの図において、
１０はガス抜きモード設定機能を持つ第１のキャップ（図１，２参照），１０ａは後述のマウンテンカップ１３ｂの環状凹部１３ｃと係合する凸状部，
１１はキャップ１０の天面，
１２は天面１１に折り曲げ可能に形成されたガス抜きモード設定用片部，１２ａは当該ガス抜きモード設定用片部の下面から略垂直方向に設けられたステム作動部，１２ｂは後述のステム１３ａを案内する半筒状の凹状面，１２ｃはガス抜きモードで残留ガスを後述の開口部１２ｇに誘導するガス誘導面，１２ｄは当該ガス抜きモード設定用片部との間の切込部，１２ｅは当該ガス抜きモード設定用片部とその他の天面部分との間の間歇的な連結部，１２ｆは当該ガス抜きモード設定用片部の回動軸となる薄肉部，１２ｇは当該ガス抜きモード設定用片部を回動操作したガス抜きモードで形成される開口部（図２参照），
１３はエアゾール容器，１３ａはステム，１３ｂはマウンテンカップ，１３ｃは当該マウンテンカップの環状凹部，
１４はエアゾール容器１３の作動モード設定用の押釦，１４ａは当該押釦の上面部，１４ｂは当該押釦の放出口，
１０′はガス抜きモード設定機能を持つ第２のキャップ（図３参照），１０ａ′はマウンテンカップ１３ｂの環状凹部１３ｃと係合する凸状部，
１５はキャップ１０′の天面，
１６は天面１５に設けられたガス抜きモード設定用レバー，１６ａは当該レバーの操作部，１６ｂはガス抜きモードへの移行時に当該レバーの回動軸となる薄肉部，１６ｃはガス抜きモードで押釦１４を押圧する押釦作動部，１６ｄはガス抜きモードへの移行時に押釦１４の上面部１４ａをスムーズに摺動するように形成されたテーパ面，１６ｅはガス抜きモードで押釦１４の上面部１４ａを押圧して安定的に保持する平坦面，１６ｆは当該レバーとの間の切込部，１６ｇは当該レバーとその他の天面部分との間の連結部，１６ｈは当該レバーを回動操作したガス抜きモードで形成される開口部〔図２（ｂ）  参照〕，
をそれぞれ示している。
【００２５】
図１（ａ）および（ｂ）に示すように、キャップ１０の天面部分には、薄肉部１２ｆを回動軸としてキャップ１０の内側方向に折り曲げ可能なガス抜きモード設定用片部１２が設けられている。
【００２６】
ガス抜きモード設定用片部１２は、ガス抜きモードでステム１３ａを押圧した状態に保持するステム作動部１２ａを備え、当該ステム作動部はステム１３ａを案内して下動させる凹状面１２ｂや残留ガスを後述の開口部１２ｇに誘導してキャップ１０の外部空間に円滑に排出させるガス誘導面１２ｃを備えている。
【００２７】
図１（ｂ）に示すように、通常の静止モードでは、キャップ１０のガス抜きモード設定用片部１２は連結部１２ｅを介して天面１１の一部を構成している。キャップ１０は、その凸状部１０ａがマウンテンカップの環状凹部１３ｃに係合することによりエアゾール容器１３に取り付けられている。
【００２８】
内容物を使い切った後などにエアゾール容器１３の残留ガスを抜く場合は、
（１）キャップ１０の凸状部１０ａとマウンテンカップ１３ｂの環状凹部１３ｃとの係合を解除してキャップ１０をエアゾール容器１３から取外し、
（２）操作釦１４をステム１３ａから取外し、
（３）ガス抜きモード設定用片部１２を指で押し下げて連結部１２ｅを切り離し、ステム作動部１２ａの凹状面１２ｂにステム１３ａの上部分が当接する態様にガス抜きモード設定用片部１２を折り曲げ、
（４）その後、キャップ１０の凸状部１０ａとマウンテンカップ１３ｂの環状凹部１３ｃとを係合させてキャップ１０をエアゾール容器１３に取り付ける。
【００２９】
この（４）の取り付けに際しては、ステム１３ａはステム作動部１２ａの凹状面１２ｂに案内されて徐々に押圧されていく。
【００３０】
最終的には、図２に示すように、ステム作動部１２ａによってステム１３ａの上動が抑制され、ステム１３ａが押圧された状態（図示のように断面が略逆Ｖ字状の面部分にステムの上端部分が当接した状態）に保持されるので、エアゾール容器１３の内容物は、ステム１３ａ−ステム１３ａと凹状面１２ｂとの隙間−キャップ１０の内部空間−開口部１２ｇを経て外部空間に排出される。
【００３１】
このとき、ガス誘導面１２ｃによってステム１３ａから放出される残留ガスが開口部１２ｇへと向かう流路ができるので、残留ガスはキャップ１０の外部空間に円滑に排出される。
【００３２】
なお、キャップ１０のガス抜きモード設定用片部１２およびステム作動部１２ａの形状を押釦１４の形状に対応させ、ガス抜きモード設定用片部１２をキャップ１０の内側に折り曲げてからステム作動部１２ａが押釦１４を押圧することによりガス抜きを行ってもよい。
【００３３】
この場合、上述のガス抜き作業工程の（２）は不要となるので、ガス抜き作業はより簡単化する。
【００３４】
図３のキャップ１０′は、その天面１５に設けられたガス抜きモード設定用レバー１６を回動するという単一操作のみでガス抜きモードに設定することができる。
【００３５】
図３（ａ）に示すように、薄肉部１６ｂを回動軸として図示反時計方向に回動可能なガス抜きモード設定用レバー１６が連結部１６ｇによりキャップ１０′の天面１５の一部を構成するかたちで設けられている。
【００３６】
ガス抜きモード設定用レバー１６には、ガス抜きモードで押釦１４を押圧した状態に保持する押釦作動部１６ｃが備えられ、当該作動部には押釦１４をスムーズに下動させるテーパ面１６ｄが形成されている。
【００３７】
図３のエアゾール容器１３の残留ガスを抜く場合、キャップ１０′をエアゾール容器１３に取り付けたまま、ガス抜きモード設定用レバー１６の操作部１６ａを矢印で示すように反時計方向に回動させればよい。
【００３８】
ガス抜きモード設定用レバー１６の回動操作にともない、
・連結部１６ｇが切り離され、
・押釦１４の上面部１４ａが押釦作動部１６ｃのテーパ面１６ｄで押圧され、
・押釦１４（ステム１３ａ）が下動した状態が押釦作動部１６ｃの平坦面１６ｅで保持される。すなわち、図３（ｂ）の状態に保持される。
【００３９】
これによりエアゾール容器１３の残留ガスは、ステム１３ａ−放出口１４ｂ−キャップ１０′の内部空間−開口部１６ｈを経由して外部空間に排出される。
【００４０】
なお、ステムに直接作用する態様のガス抜きモード設定用レバー（押釦作動部）をキャップに設けて、例えば家庭用卓上コンロ用のエアゾール容器のように押釦が取り付けられていないエアゾール容器の残留ガスを当該ガス抜きモード設定用レバーで抜くようにしてもよい。
【００４１】
以上のキャップ１０，１０′は、それをエアゾール容器１３に取り付けた状態では、勿論、従来のキャップと同様にステム１３ａや押釦１４などを衝撃やごみ等から保護したり、押釦１４の誤動作を防止している。また、この状態で、ガス抜きモード設定用のステム作動部１２ａや押釦作動部１６ｃがステム１３ａや押釦１４を押圧することもない。
【００４２】
図４乃至図６は押釦側のレバー操作に基づくガス抜きモード設定機構を示す説明図である。
【００４３】
図４（ａ）はガス抜きモード設定時のガス抜きモード設定用レバーの操作方向を示し、図４（ｂ）通常の静止モードを示し、図５はガス抜きモード設定用レバーの移動を案内するガイド孔の態様を示し、図６（ａ）は通常の静止モードでのガス抜きモード設定用レバーと押釦の位置関係を示し、図６（ｂ）はガス抜きモードでのガス抜きモード設定用レバーと押釦の位置関係を示している。
【００４４】
図４乃至図６において、
２０はガス抜きモード設定機構，
２１は押釦，２１ａは当該押釦に設けたガス抜きモード設定用レバー，２１ｂは当該ガス抜きモード設定用レバーを構成する直線状の梁状片部，２１ｃは当該腕部の延長線上の当該押釦とは反対側に形成したものであって後述のガイド面２２ｈに案内される対向片部，２１ｄは放出口，
２２はカバー体，２２ａは当該カバー体の背面部，２２ｂはガス抜きモード設定用レバー２１ａの梁状片部２１ｂに対するガイド孔，２２ｃは当該ガイド孔の一部であってガス抜きモード設定用レバー２１ａのガス抜きモードへの不用意な操作を阻止する上側係止部，２２ｄは当該ガイド孔の一部であって通常の作動で押釦２１の上下動を可能とするための縦スリット状部，２２ｅは当該ガイド孔の一部であってガス抜きモードへの移行時に片部２１ｂを案内して押釦２１を下動させるためのテーパ面，２２ｆは当該ガイド孔の一部であってガス抜きモードに移行した梁状片部２１ｂを保持するための下側係止部，２２ｇは当該縦スリット状部から延びる押釦取付用の孔部，２２ｈはテーパ面２２ｅと同じ態様（周方向に対して略対称）に形成されて対向片部２１ｃを案内するガイド面，２２ｉは押釦２１を露出させる開口部，２２ｊは後述のエアゾール容器の環状凹部２３ａと係合する突状部，
２３はエアゾール容器，２３ａは当該エアゾール容器の環状凹部，２３ｂはステムをそれぞれ示している。
【００４５】
図４（ａ）および（ｂ）に示すように、ガス抜きモード設定機構２０の押釦２１にはガス抜きモード設定用レバー２１ａが設けられ、当該レバーの梁状片部２１ｂはカバー体２２の背面部２２ａに形成されたガイド孔２２ｂに入り込んでいる。
【００４６】
図５に示すように、ガイド孔２２ｂにはテーパ面２２ｅが反時計方向に低くなる態様で形成されているので、ガス抜きモード設定用レバー２１ａを同方向（エアゾール容器２３の周方向）に回動させると、梁状片部２１ｂがテーパ面２２ｅに案内されて当該レバー（押釦２１）は下動する。その結果、ステム２３ｂも下動してエアゾール容器２３はガス抜きモードに移行する。
【００４７】
なお、ガイド孔２２ｂの縦スリット２２ｄに連通する孔部２２ｇが形成されているので、押釦２１をステム２３ｂにセットした状態でこの孔部にガス抜きモード設定用レバー２１ａを入れるようにカバー体２２を押釦２１の上からかぶせ、その突状部２２ｊをエアゾール容器２３の環状凹部３４ａに係合させることができる。
【００４８】
図６（ａ）に示すように、通常の静止モードでは、スプリング（図示省略）の付勢により押釦２１は上動し、ガス抜きモード設定用レバー２１ａの梁状片部２１ｂはガイド孔２２ｂの上側係止部２２ｃに係合している。
【００４９】
この係合作用により、例えばガス抜きモード設定用レバー２１ａに誤って触れた程度では当該レバーは図示右方向に移動することはなく、したがって押釦２１が不用意にガス抜きモードの位置へと移行することを防止できる。
【００５０】
なお、ガス抜きモード設定用レバー２１ａの梁状片部２１ｂはガイド孔２２ｂの縦スリット状部２２ｄを上下動できるので、押釦２１は従来の押釦と同様に内容物の放出操作（＝静止モードから作動モードへの移行操作）ができる。
【００５１】
図６（ｂ）に示すように、エアゾール容器２３のガス抜きモードに設定するに際しては、押釦２１と一体のガス抜きモード設定用レバー２１ａを少し押し下げてから右方向に回動する、といったシングル操作のみを行なえばよい。
【００５２】
このとき、
・ガス抜きモード設定用レバー２１ａが下動することにより、当該レバーの梁状片部２１ｂとガイド孔２２ｂの上側係止部２２ｃとの係合状態が解除され、
・そして当該レバーが右方向に回動することにより、その梁状片部２１ｂは、ガイド孔２２ｂのテーパ面２２ｄに案内され、最終的には下側係止部２２ｆと係合して確実に保持される。
【００５３】
この係合・保持作用により押釦２１が下動した状態（ステム２３ｂが押圧された状態）のガス抜きモードに設定される。
【００５４】
なお、上述のように、梁状片部２１ｂがガイド孔２２ｂのテーパ面２２ｄに案内されるとき、もう一つの対向片部２１ｃもガイド面２２ｈに案内されるので、、押釦２１はその両側をガイドされながらスムーズに下動する。
【００５５】
そして、エアゾール容器２３の残留ガスは、ステム２３ｂ−放出口２１ｄ−開口部２２ｉを経由して外部空間に排出される。
【００５６】
なお、ガイド孔２２ｂの少なくとも上側係止部２２ｃ，テーパ面２２ｅおよび下側係止部２２ｃのカム機能をガス抜きモード設定用レバー２１ａに持たせ、かつ、このテーパ面などが倣う基準部（固定部）をカバー体側に設けるようにしてもよい。
【００５７】
このガス抜きモード設定用レバー２１ａのカム機能は、例えば図示の少なくとも上側係止部２２ｃ，テーパ面２２ｅおよび下側係止部２２ｃを上下・左右を逆にした形状部分を当該レバーに形成することにより得られる。そして、カバー体側の基準部で（上方向に付勢されている押釦２１と一体の）この形状部分の上端部を受けることになる。
【００５８】
図７乃至図９はカバー体側のレバー操作に基づくガス抜きモード設定機構を示す説明図である。
【００５９】
図７（ａ）および図７（ｂ）は通常の静止モードを示し、図８はガス抜きモードを示し、図９（ａ）はガス抜きモード設定用レバーの変更例の側面図を示し、図９（ｂ）当該変更例を用いた場合の通常の静止モードを示している。
【００６０】
図７乃至図９において、
３０はガス抜きモード設定機構，
３１はエアゾール容器の作動モード設定用の押釦，３１ａは当該押釦の外周面の対向部分に設けたガス抜きモード設定用の凸状部，３１ｂは後述の第１のレバー３２のテーパ面３２ａにならってガス抜きモードにスムーズに移行するための曲面部，３１ｃは放出口，
３２は後述のカバー体３３に軸支されて回動操作により押釦３１の凸状部３１ａを押圧するガス抜きモード設定用の第１のレバー，３２ａはガス抜きモードへの移行時に押釦３１の凸状部３１ａにスムーズに乗り上げていくように形成されたテーパ面，３２ｂは当該第１のレバーの操作部，３２ｃは当該第１のレバーの回動中心となる軸部，３２ｄは当該第１のレバーのガス抜きモードにおける回動位置からの更なる回動を阻止するための段部，３２ｅは当該第１のレバーと押釦３１との隙間，３２ｆは当該第１のレバーと押釦３１の凸状部３１ａとの上下方向の隙間，
３３はカバー体，３３ａは第１のレバー３２の軸部３２ｃを回動可能に取り付ける孔部，３３ｂは当該第１のレバーをガス抜きモードに保持するレバーストッパー，３３ｃは押釦３１や当該第１のレバーを露出させるように形成された開口部，３３ｄは後述のエアゾール容器３４の環状凹部３４ａと係合する突状部，
３４はエアゾール容器，３４ａは当該エアゾール容器の環状凹部，３４ｂはステム，
３５はガス抜きモードの回動状態を自己保持する機能を備えたガス抜きモード設定用の第２のレバー，３５ａは当該第２のレバーの（第１のレバー３２のテーパ面３２ａと同様の案内機能を備えた）テーパ面，３５ｂは操作部，３５ｃは回動中心となる軸部，３５ｄはガス抜きモードで押釦３１の凸状部３１ａと係合する凹状部，３５ｅは当該凹状部の縁部をそれぞれ示している。
【００６１】
図７（ａ）および（ｂ）に示すように、ガス抜きモード設定機構３０には、押釦３１の外周面の対向する位置にガス抜きモード設定用の凸状部３１ａが設けられ、当該凸状部にはガス抜きモード設定用の第１のレバー３２が乗り上げ易いように曲面部３１ｂが形成されている。
【００６２】
第１のレバー３２を取り付けたカバー体３３は、通常の静止モードで押釦３１の凸状部３１ａの上側に隙間３２ｆが生じる態様でエアゾール容器３４に取り付けられている。
【００６３】
もともと第１のレバー３２と押釦３１との隙間３２ｅが形成され、また当該第１のレバーが凸状部３１ａの上側に位置しているので、通常の押釦と同様に、押釦３１が当該第１のレバーの制約なしに上下動して内容物の放出動作を行なえることは勿論である。
【００６４】
そして、第１のレバー３２の操作部３２ｂを図７（ｂ）で示すように反時計方向に回動させるといったシングル操作で図８のガス抜きモードに設定することができる。
【００６５】
この回動操作にともない、
・第１のレバー３２は、そのテーパ面３２ａが押釦３１の凸状部３１ａの曲面部３１ｂに乗り上げて当該凸状部を押圧して押釦３１を下動させていき、
・当該レバーの操作部３２ｂがストッパー３３ｂに乗り超えるタイミングで、その段部３２ｄが押釦３１の凸状部３１ａに当接し、
・この当接状態（＝押釦３１を押し下げたガス抜きモード）は、段部３２ｄおよびストッパー３３ｂの係止作用により保持される。
【００６６】
これにより、エアゾール容器３４の残留ガスは、ステム３４ｂ−放出口３１ｃ−開口部３３ｃを経由して外部空間に排出される。
【００６７】
図９の第２のレバー３５には押釦３１の凸状部３１ａを押圧した状態のガス抜きモードを自己保持するための凹状部３５ｄが形成されており、この点が図７，８の第１のレバー３２と相違している。
【００６８】
ガス抜きモードに設定するには、図９（ｂ）に示すように第２のレバー３５の操作部３５ｂを反時計方向に回動させればよい。
【００６９】
このとき、押釦３１の凸状部３１ａは、その曲面部３１ｂが第２のレバー３５のテーパ面３５ａを摺動した後、縁部３５ｅを乗り越えて凹状部３５ｄに入り込んで自己保持される。
【００７０】
そのため、第２のレバー３５を用いるときには、第１のレバー３２の場合のレバーストッパー３３ｂをカバー体３３に設けなくてもよい。
【００７１】
以上のガス抜きモード設定機構を備えたエアゾール式製品としては、洗浄剤  ，清掃剤，制汗剤，忌避剤（殺虫剤），医薬品，医薬部外品，化粧品，洗濯のりなどがある。
【００７２】
エアゾール式製品の内容物には、金属塩類粉末，無機物粉末や樹脂粉末などを用いる。例えばタルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００７３】
エアゾール式製品の放出用ガスには、ＬＰＧ，ジメチルエーテル，フルオロカーボン，炭酸ガス，窒素ガス，圧縮空気，酸素ガス，希ガス，これらの混合ガスなどを用いる。
【００７４】
【発明の効果】
本発明は、このように、エアゾール容器のガス抜きモードを確立するためのステム駆動用対応部をその全体が単一の操作対象からなる態様で構築しているので、エアゾール容器のガス抜きモード設定者の作業負担の軽減化を図ることができる。
【００７５】
また、このステム駆動用対応部をエアゾール容器のキャップに設けているのでキャップ形式のエアゾール容器におけるガス抜きモード設定作業のいっそうの簡単化を図ることができる。
【００７６】
また、このステム駆動用対応部をエアゾール容器の（作動モード設定用の）操作釦やカバー体に設けているので、カバー体形式のエアゾール容器におけるガス抜きモード設定作業のいっそうの簡単化を図ることができる。
【図面の簡単な説明】
【図１】本発明の、キャップ自体の操作に基づくガス抜きモード設定機構（その１）の説明図であり、（ａ）はキャップ単体の上面図、図１（ｂ）は通常の静止モードを示している。
【図２】本発明の、図１（ｂ）に対応のガス抜きモードの説明図である。
【図３】本発明の、キャップ自体の操作に基づくガス抜きモード設定機構（その２）の説明図であり、（ａ）は通常の静止モード、（ｂ）はガス抜きモードを示している。
【図４】本発明の、押釦側のレバー操作に基づくガス抜きモード設定機構を示す説明図であり、（ａ）はガス抜きモード設定用レバーの動作、（ｂ）は通常の静止モードを示している。
【図５】本発明の、図４のガス抜きモード設定機構のガイド孔の態様を示す説明図である。
【図６】本発明の、図４のガス抜きモード設定機構のガス抜きモード設定用レバーと押釦の位置関係を示す説明図であり、（ａ）は通常の静止モード、（ｂ）はガス抜きモードを示している。
【図７】本発明の、カバー体側のレバー操作に基づくガス抜きモード設定機構の通常の使用モードを示す説明図であり、（ａ）は上面図、（ｂ）は側断面図を示している。
【図８】本発明の、図７に対応のガス抜きモードの説明図である。
【図９】本発明の、図７のガス抜きモード設定機構のガス抜きモード設定用レバーの変更例であり、（ａ）は側面図、（ｂ）当該レバーを用いたガス抜きモード設定機構の通常の静止モードを示している。
【図１０】従来の、ガス抜きモード設定機能を構えたキャップの説明図であり、（ａ）は当該キャップ単体、（ｂ）は当該キャップのガス抜きモードを示している。
【符号の説明】
１０：ガス抜きモード設定機能を備えた第１のキャップ
１０ａ：凸状部
１１：天面
１２：ガス抜きモード設定用片部
１２ａ：ステム作動部
１２ｂ：凹状面
１２ｃ：ガス誘導面
１２ｄ：切込部
１２ｅ：連結部
１２ｆ：薄肉部
１２ｇ：開口部
１３：エアゾール容器
１３ａ：ステム
１３ｂ：マウンテンカップ
１３ｃ：環状凹部
１４：押釦
１４ａ：上面部
１４ｂ：放出口
１０’：ガス抜きモード設定機能を備えた第２のキャップ
１０’ａ：凸状部
１５：天面
１６：ガス抜きモード設定用レバー
１６ａ：操作部
１６ｂ：薄肉部
１６ｃ：押釦作動部
１６ｄ：テーパ面
１６ｅ：平坦面
１６ｆ：切込部
１６ｇ：連結部
１６ｈ：開口部
２０：ガス抜きモード設定機構
２１：押釦
２１ａ：レバー
２１ｂ：梁状片部
２１ｃ：対向片部
２１ｄ：放出口
２２：カバー体
２２ａ：背面部
２２ｂ：ガイド孔
２２ｃ：上側係止部
２２ｄ：縦スリット状部
２２ｅ：テーパ面
２２ｆ：下側係止部
２２ｇ：押釦取付用の孔部
２２ｈ：ガイド面
２２ｉ：開口部
２２ｊ：突状部
２３：エアゾール容器
２３ａ：環状凹部
２３ｂ：ステム
３０：ガス抜きモード設定機構
３１：押釦
３１ａ：ガス抜きモード設定用凸状部
３１ｂ：曲面部
３１ｃ：放出口
３２：ガス抜きモード設定用の第１のレバー
３２ａ：テーパ面
３２ｂ：操作部
３２ｃ：軸部
３２ｄ：段部
３２ｅ：隙間
３２ｆ：隙間
３３：カバー体
３３ａ：孔部
３３ｂ：レバーストッパー
３３ｃ：開口部
３３ｄ：突状部
３４：エアゾール容器
３４ａ：環状凹部
３４ｂはステム
３５：ガス抜きモード設定用の第２のレバー
３５ａ：テーパ面
３５ｂ：操作部
３５ｃ：軸部
３５ｄ：凹状部
３５ｅ：縁部
【図１】
2004168356.tif 000003
【図２】
2004168356.tif 000004
【図３】
2004168356.tif 000005
【図４】
2004168356.tif 000006
【図５】
2004168356.tif 000007
【図６】
2004168356.tif 000008
【図７】
2004168356.tif 000009
【図８】
2004168356.tif 000010
【図９】
2004168356.tif 000011
【図１０】
2004168356.tif 000012